(57)【要約】【課題】  本発明は、埋設タンク等に使用されるＦＲＰを用いたタンクの補修方法を提案するものである。【解決手段】  ＦＲＰを用いたタンクの補修方法であって、埋設タンクに対して開口部を形成する開口処理と、該開口部から入り、前記埋設タンク内部をクリーニングするクリーニング処理と、該クリーニング処理後の埋設タンク内を補修、改修する補修改修処理と、該補修改修処理後の埋設タンク内に所定幅の第１のＦＲＰシートを貼着する処理と、該第１のＦＲＰシート上に第２のＦＲＰシートを貼着する処理とを行うことを特徴とする。【選択図】  図３
2013049452.tif 000002
【特許請求の範囲】
【請求項１】
埋設タンクに対して開口部を形成する開口処理と、
該開口部から入り、前記埋設タンク内部をクリーニングするクリーニング処理と、
該クリーニング処理後の埋設タンク内を補修、改修する補修改修処理と、
該補修改修処理後の埋設タンク内に所定幅の第１のＦＲＰシートを貼着する処理と、
該第１のＦＲＰシート上に第２のＦＲＰシートを貼着する処理と、
を行うことを特徴とするＦＲＰを用いたタンクの補修方法。
【請求項２】
前記第１のＦＲＰシートの厚さは、前記第２のＦＲＰシートの厚さより厚いことを特徴とする請求項１に記載のＦＲＰを用いたタンクの補修方法。
【請求項３】
前記第１のＦＲＰシートの貼着は、所定の幅を有して隣のＦＲＰシートと重ねて貼着され、該重ね部に前記第２のＦＲＰシートの中心が位置するように前記第２のＦＲＰシートを前記第１のＦＲＰシート上に貼着することを特徴とする請求項１、又は２に記載のＦＲＰを用いたタンクの補修方法。
【請求項４】
前記タンクはガソリンスタンドに配設された埋設タンクであることを特徴とする請求項１、２、又は３に記載のＦＲＰを用いたタンクの補修方法。
【請求項５】
前記タンクは地上に設置されたタンクであることを特徴とする請求項１、２、又は３に記載のＦＲＰを用いたタンクの補修方法。
【発明の詳細な説明】
【技術分野】
【０００１】
本発明は、埋設タンクや地上タンク等の各種タンクの修理、改修に係り、特にＦＲＰ（繊維強化複合材）を用いた各種タンクの補修方法に関する。
【背景技術】
【０００２】
今日、ガソリンスタンド等において、油貯蔵用地下タンクが広く使用されている。しかし、このような地下タンクは、長期間の使用により経年変化し、腐蝕や孔蝕を生じる場合があり、油漏れ等の原因となる。しかしながら、一旦タンクを埋設した場合、地上から埋設タンクの腐蝕や孔蝕を点検することは困難である。
【０００３】
このため、従来埋設タンクや配管の油漏れを調べるため、加圧試験や減圧試験が採用されている。例えば、タンクの給油管と吸引管のバルブを閉鎖し、また通気管等の他の開口も閉鎖し、タンクを加圧又は減圧し、腐蝕や孔蝕、油漏れ等の点検を行っている。
【０００４】
また、地下タンクに限らず、地上に設置された横置き型タンクや縦置き型タンクについても、長期間の使用により腐蝕や孔蝕が生じることから、地下タンクと同様、加圧試験や減圧試験を採用している。尚、特許文献１には燃料タンクの補修方法が開示されている。
【先行技術文献】
【特許文献】
【０００５】
【特許文献１】特開２００２−２１１６８５号公報
【発明の概要】
【発明が解決しようとする課題】
【０００６】
上記従来のシステムにおいては、検査用の治具を埋設タンクに合わせて制作しなければならず、装置が大がかりになる。また、作業性も悪い。
一方、今日埋設タンクの開口技術が向上し、埋設後のタンクに開口を設け、当該開口部上にマンホールを形成してタンク内に侵入する方法が提案されている。しかしながら、タンク内の作業手順や作業工程は明らかではない。特に、ＦＲＰ（繊維強化複合材）を使用した埋設タンク内のライニング施工については、施工方法によって腐蝕や孔蝕を防止する効果が著しく異なる。
【０００７】
本発明は、上記課題を解決するため、埋設タンクや地上用タンク内のＦＲＰ施工方法を提案するものである。
【課題を解決するための手段】
【０００８】
上記課題は、本発明によれば、埋設タンクに対して開口部を形成する開口処理と、該開口部から入り、前記埋設タンク内部をクリーニングするクリーニング処理と、該クリーニング処理後の埋設タンク内を補修、改修する補修改修処理と、該補修改修処理後の埋設タンク内に所定幅の第１のＦＲＰシートを貼着する第１の貼着処理と、該第１のＦＲＰシート上に第２のＦＲＰシートを貼着する第２の貼着処理と、を行うＦＲＰを用いたタンクの補修方法を提供することによって達成できる。
【０００９】
また、前記第１のＦＲＰシートの厚さは、前記第２のＦＲＰシートの厚さより厚いＦＲＰを用いたタンクの補修方法を提供することによって達成できる。
【００１０】
また、前記第１のＦＲＰシートの貼着は、所定の幅を有して隣のＦＲＰシートと重ねて貼着され、該重ね部に前記第２のＦＲＰシートの中心が位置するように前記第２のＦＲＰシートを前記第１のＦＲＰシート上に貼着するＦＲＰを用いたタンクの補修方法を提供することによって達成できる。
【図面の簡単な説明】
【００１１】
【図１】本実施形態を説明する埋設タンクの断面図である。
【図２】タンク開口後の埋設タンクの断面図である。
【図３】タンク内のＦＲＰライニング施工方法を説明する図である。
【図４】地上タンクの構成を説明する図である。
【発明を実施するための形態】
【００１２】
以下、本発明の実施の形態を図面に基づいて説明する。
図１は、本実施形態のライニング施工方法を適用する埋設タンクの構成を説明する図である。
【００１３】
同図において、１はガソリンスタンド等の地下に埋設された埋設タンクであり、埋設タンク１には油（ガソリン）を入れる給油管２、埋設タンク１から油（ガソリン）を吸引する際使用する吸引管３、埋設タンク１の通気を行う通気管４、及び不図示の油（ガソリン）の計量を行う計量口が設けられている。また、埋設タンク１は地表から所定の深さの範囲内に埋設され、埋設タンク１の上にはコンクリート５が施設されている。また、給油管２にはバルブ６が設けられ、吸引管３にはバルブ７が設けられ、埋設タンク１の補修／改修作業の際、このバルブ６及び７を閉鎖して行う。
【００１４】
以上の構成の埋設タンク１において、埋設タンク１の開口処理を含むタンク内のＦＲＰライニング施工処理を説明する。先ず、埋設タンク１内の可燃ガスの測定を行う。この処理は不図示の測定器によって内部のガス濃度、漏れ油の有無のチェックを行う。ここで、ガス濃度の異常や漏れ油等があれば直ちにこれを除去し、埋設タンク内を安全な状態にする。
【００１５】
次に、上記処理によって埋設タンク内の安全が確認されると、埋設タンク内の油（ガソリン）の抜き取り作業を行う。この作業は、給油管２や吸引管３等の配管の切り放し、給油計の取り外し作業を行い、サクションホースを挿入し、例えばエアー駆動ポンプ又は耐圧防爆ポンプ等によってタンク内の油（ガソリン）を抜き取る作業である。
【００１６】
次に、埋設タンク１内の水張り、及びオイル吸収材の散布を行う。上記のようにタンク内の油を抜き取った後、例えば給油管２から水を入れ埋設タンク１内に水を張る。この水の量は、タンク容量の半分程度であり、水張り後、水が埋設タンクの真ん中付近にまで達する程度である。上記水張り後、有機質オイル吸収材を散布し、当該有機質オイル吸収材に浮油を吸収させる。尚、油分を分離した水は、不図示の油水分離槽を介して排水溝に放流する。
【００１７】
次に、埋設タンク及び各配管の水圧テストを行う。このテストは、上記浮き油の除去が終了した後、埋設タンク内を満水状態にし、例えば水圧０、７Ｋｇ／ｍに昇圧し、埋設タンク及び給水管２、吸引管３の水圧テストを行い、油の漏洩の有無を調査する。
【００１８】
次に、当該埋設タンクと各配管の縁切りを行う。すなわち、埋設タンクに接続される全ての配管の縁切りを行う。次に、埋設タンクに形成しようとする開口部の墨だしを行い、仮囲いの設置を行う。尚、埋設タンクに形成する開口の位置は、埋設タンクの構造図によって決定する。また、上記開口部の位置を墨だしした後、その周囲を仮設防火塀によって覆う。
【００１９】
次に、埋設タンク上に形成されていたコンクリート５を撤去し、掘削工事を行う。ここで、上記コンクリート５の位置を図１において特に５’で示す。この処理は、墨だしした線上に沿ってコンクリート掘削機により、コンクリート５’を切断し、切断後、コンクリートブレーカーにてコンクリート５’を砕き、埋設タンク１が表れるまで土砂８を掘り下げる。
【００２０】
次に、防触塗覆装を除去する。すなわち、埋設タンク１の開口に合わせてタンクに施してある防触塗覆装を除去する。次に、埋設タンク１の開口作業を行う。この開口はエアーカッターで行い、開口作業が終了すれば水封バスの取り外し作業を行う。図２は上述の一連の作業後の埋設タンク１、及びその近傍の状態を示す図である。尚、同図に示す９は開口部である。
【００２１】
上記のようにして開口作業が終了すると、タンクのクリーニング作業を行う。タンクのクリーニング作業は、埋設タンク１内の水をエアー駆動ポンプ、又は耐圧防爆ポンプによってくみ出し、油水分離槽を介して放流する。そして、水抜き後、埋設タンク１内部のスラッジに有機質オイル吸収材を散布し、更にその表面に６％の乳化溶液を加え、揮発性ガスの発生を極端に低く抑え、埋設タンク１内部の洗浄汚水と共に一括して処分する。
【００２２】
上記のようにして埋設タンク１内部のクリーニング作業が終了すると、埋設タンク１内部の点検を行う。先ず、埋設タンク１内部を目視点検する。この目視点検は、埋設タンク１内部全般に渡り、サンドブラスト又はワイヤーブラシでパフ掛けを行い、タンク本体の地肌を現しながら行う。
【００２３】
次いで、埋設タンク１内部全般に渡り目視点検を行い、腐蝕、傷、治具痕等の位置、数量等を点検する。ここで、孔触測定は目視等によって発見された孔触部の深さ、位置、数量等をチェックする。また、板厚測定は超音波厚み測定器により、シェル、鏡板等、内部全体の板厚測定を行う。
【００２４】
浸透探傷検査は、タンク内部全般の溶接線、ノズルネック溶接部、及び目視点検によるワレ等の損傷部分の浸透探傷検査を行う。次に、タンクの補修、改修処理を行う。タンク内部の点検、検査の結果、何らかの修理が必要とされる場合、修理部材の選定、改修方法、保全対策等、工期を含めた総合判断のもと、その状況に応じて以下の如く具体的な改修計画を立てる。すなわち、当板溶接、肉盛溶接、防触コーティング、その他有効な方法による改修計画を立て、実行する。
【００２５】
次に、タンク内側のＦＲＰライニング施工を行う。このタンク内のライニング施工は、先ずサンドブラスト又はワイヤーブラシでパフ掛け素地調整を行い、その後プライマー塗装を実施する。そして、プライマー塗装後、ＦＲＰのプリプレグシートを用い、所定のプライス数を積層し、紫外線蛍光灯（ランプ）を照射し硬化させる。
【００２６】
図３は上記タンク内のライニング施工処理を具体的に示す図であり、埋設タンク１の断面図である。埋設タンク１は鋼板で構成され、前述のように所定の補修が施されている。この埋設タンク１の内側にＦＲＰのプリプレグシートを貼る。ここで、ＦＲＰ（繊維強化複合材）は、例えばプラスチック、金属、ゴム等を高強度繊維で補強した複合材であり、ガラス繊維複合材（GFRP (Glass fiber reinforced plastics)）や炭素繊維複合材などが使用できる。
【００２７】
以下、具体的なＦＲＰの貼着方法について説明する。先ず、上記のように下地にプライマー塗装を行った後、埋設タンク１の内面の所定位置を起点としてＦＲＰシート１１を貼っていく。すなわち、図３に示すように、埋設タンク１内の位置１０を起点としてＦＲＰシート１１をタンク１の内側に沿って貼り進める。
【００２８】
ここで、ＦＲＰシート１１は所定の長さを有し、例えば厚さ１，３ｍｍで、幅５０ｃｍのシートを使用する。また、ＦＲＰシート１１には予め接着剤が塗布されており、保護膜を剥がして使用する。
【００２９】
先ず、埋設タンク１内の位置１０を起点として、例えばＦＲＰシート１１−１を貼る。この際、埋設タンク１の内面とＦＲＰシート１１−１間に気相が生じないように貼着する。次に、ＦＲＰシート１１−１の端部１１−１′から、例えば５ｃｍ内側の位置１１−１″を起点として、ＦＲＰシート１１−１に一部が重なるように次のＦＲＰシート１１−２を貼る。すなわち、ＦＲＰシート１１−１の端部１１−１′から内側に５ｃｍ重ねて次のＦＲＰシート１１−２を貼る。
【００３０】
次に、上記と同様、ＦＲＰシート１１−２の端部１１−２′から５ｃｍ内側の位置１１−２″を起点として、ＦＲＰシート１１−２に一部が重なるようにＦＲＰシート１１−３を貼る。すなわち、ＦＲＰシート１１−２の端部１１−２′から内側に５ｃｍ重ねて次のＦＲＰシート１１−３を貼る。
【００３１】
以下、同様にして、厚さ１，３ｍｍのＦＲＰシートを反時計方向回りに順次貼着し、最初の位置１０に達すると、埋設タンク１内を一周してＦＲＰシート１１−１〜１１−ｎが貼着される。
【００３２】
次に、上記ＦＲＰシート１１−１〜１１−ｎの上に厚さ０，８ｍｍの第２のＦＲＰシート１２を貼着する。また、この第２のＦＲＰシート１２も、第１のＦＲＰシート１１と同様、幅５０ｃｍであり、予め接着剤が塗布されている。
【００３３】
ここで、ＦＲＰシート１２の貼着は以下のように行なう。すなわち、ＦＲＰシート１１−１の中心１１−１ｃから隣のＦＲＰシート１１−２の中心１１−２ｃまでを覆うようにＦＲＰシート１２−１を貼る。したがって、ＦＲＰシート１２−１はＦＲＰシート１１−１と１１−２が重なった部分が中心になるように貼着される。尚、この場合もＦＲＰシート１２−１とＦＲＰシート１１−１及び１１−２間に気相が生じないように貼着する。
【００３４】
次に、ＦＲＰシート１１−２の中心１１−２ｃから隣のＦＲＰシート１１−３の中心１１−３ｃまでを覆ってＦＲＰシート１２−２を貼着する。したがって、この場合も、ＦＲＰシート１２−２はＦＲＰシート１１−２と１１−３が重なった部分が中心になるように貼着される。
【００３５】
以下、同様にして、厚さ０，８ｍｍのＦＲＰシート１２−３、１２−４、・・１２−ｎを順次ＦＲＰシート１１−３、１１−４、・・１１−ｎ上に貼着し、最初の位置１０に達すると、埋設タンク１内を一周してＦＲＰシート１２−１〜１２−ｎがＦＲＰシート１１−１〜１１−ｎ上に重ねて貼着される。
【００３６】
このように、埋設タンク１の内面に貼着されたＦＲＰシート１１−１〜１１−ｎを覆ってＦＲＰシート１２−１〜１２−ｎを二重に貼着することにより、埋設タンク１を腐蝕や孔蝕から確実に保護することができる。特に、本例のＦＲＰを用いたタンクの補修方法ではＦＲＰシート１１−１〜１１−ｎの重ね合わせ部分に、ＦＲＰシート１２−１〜１２−ｎの中心が位置するように貼着されるため、より油漏れを防止できるＦＲＰを用いたタンクの補修方法を提案することができる。
【００３７】
以上のように貼着処理を行うことによって、埋設タンク１の内周面には全面にＦＲＰシート１１と１２が二重に貼着され、最後に紫外線蛍光灯（ランプ）を照射し、ＦＲＰシート１１及び１２を硬化させる。
【００３８】
その後、マンホールの取り付け作業等を行い、点検口の取り付け完了後、埋設タンク１の全ての開口部を密封した後、気密テストを行い、更に復旧工事を行う。
【００３９】
以上のように、本実施形態によれば、より確実なＦＲＰのライニング施工を行なうことができ、埋設タンク１の腐蝕や孔蝕、油漏れ等を確実に防止することができる。
尚、本例の説明では最初に厚さ１，３ｍｍのＦＲＰシート１１−１〜１１−ｎを貼着し、その上から厚さ０，８ｍｍのＦＲＰシート１２−１〜１２−ｎを貼着する構成としたが、逆に厚さ０、８ｍｍのＦＲＰシート１１−１〜１１−ｎを先に貼着し、その上から厚さ１，３ｍｍのＦＲＰシート１２−１〜１２−ｎを貼着するように構成としてもよい。
【００４０】
尚、上記実施形態の説明では、ガソリンスタンド等に埋設されたタンクについて説明したが、地上に設置されたタンクにおいても同様に実施することができる。図４はこの例を説明する図である。
【００４１】
このタンク２１には、例えば灯油等が収納されている。また、タンク２１は鋼製の地上タンクであり、タンク２１には検知管２２、注給油部２３、メンテナンス開口部２４が設けられている。ここで、検知管２２はタンク２１に収納された灯油の液面を検知する管であり、検知センサ２５を使用して、タンク２１に収納された灯油の量を検知する。また、注給油部２３はタンク２１に灯油を注入し、またタンク２１から灯油を取り出す開口部である。また、メンテナンス開口部２４はタンク２１内の腐蝕等を補修し、修正するために使用する開口である。
【００４２】
上  記構成のタンク２１は地上用であり、例えばビルの屋上や工場内、工場の敷地内に設置されている。しかし、経年使用によって腐蝕や孔蝕が生じ、灯油漏れ等の危険がある。したがって、地下埋設タンクと同様、確実なメンテナンスが必要である。
【００４３】
そこで、本例では地上用のタンク２１についても、タンク２１の内側にＦＲＰ加工を施すものである。以下、具体的に処理工程を説明する。
【００４４】
先ず、タンク２１内の可燃ガスの測定を行い、内部のガス濃度、漏れ油の有無のチェックを行う。次に、タンク２１内の安全が確認されると、タンク２１内の油の抜き取り作業を行う。この作業は、検知管２２の取り外し、注給油部２３から例えばホースを挿入し、タンク２１内の灯油を抜き取る。
【００４５】
次に、前述と同様タンク２１内に水を張り、オイル吸収材を散布する。次に、タンク２１及び各配管の加（微）圧テストを行う。尚、配管が地上部に存在する場合、この加（微）圧テストを省いてもよい。
【００４６】
次に、タンク２１の開口作業を行う。ここで、タンク２１に開口部がない場合、タンク２１に開口を形成するが、本例では既にメンテナンス開口部２４が形成されているので、例えばボルトを外し、蓋を開けることによってタンク２１を開口することができる。
【００４７】
次に、前述と同様タンク２１内のクリーニング作業を行い、タンク２１内の点検を行う。次に、タンク２１の補修、改修処理を行う。尚、この場合、修理部材の選定、改修方法、保全対策等、工期を含めた総合判断のもと、その状況に応じて具体的な改修計画を立てる。
【００４８】
ここで、タンク２１内側のＦＲＰライニング施工を行うものとする。このタンク内のライニング施工は、先ず前述と同様、サンドブラスト又はワイヤーブラシでパフ掛けを行い、その後プライマー塗装を実施する。そして、プライマー塗装後、ＦＲＰのプリプレグシートを用い、所定のプライス数を積層し、紫外線を照射し硬化させる。
【００４９】
具体的な作業方法は前述の図３で説明した方法である。
すなわち、埋設タンク１内の位置１０を起点として、埋設タンク１の内面とＦＲＰシート１１間に気相が生じないように貼着し、例えばＦＲＰシート１１の端部１１′から、５ｃｍ内側の位置１１１″を起点として、ＦＲＰシート１１−１に一部が重なるように次のＦＲＰシート１１−２を貼る。すなわち、ＦＲＰシート１１−１の端部１１−１′から内側に５ｃｍ重ねて次のＦＲＰシート１１−２を貼る。
【００５０】
以下、同様にして、厚さ１，３ｍｍのＦＲＰシートを反時計方向回りに順次貼着し、最初の位置１０に達すると、埋設タンク１内を一周してＦＲＰシート１１−１〜１１−ｎが貼着される。
【００５１】
さらに、上記ＦＲＰシート１１−１〜１１−ｎの上に厚さ０，８ｍｍの第２のＦＲＰシート１２を貼着する。このように、埋設タンク１の内面に貼着されたＦＲＰシート１１を覆ってＦＲＰシート１２を二重に貼着することにより、埋設タンク１を腐蝕や孔蝕から確実に保護することができる。特に、本例のＦＲＰシートを用いたタンクの補修方法ではＦＲＰシート１１の重ね合わせ部分に、ＦＲＰシート１２の中心が位置するように貼着されるため、確実に油漏れを防止できる。
【００５２】
以上のように貼着処理を行うことによって、タンク２１の内周面には全面にＦＲＰが貼着され、最後に上述のＦＲＰに紫外線蛍光灯（ランプ）を照射し、ＦＲＰを硬化させる。その後、復旧作業を行い、例えば点検口の取り付け作業、タンク２１の全ての開口部の密封作業、メンテナンス開口部２４の蓋締め作業を行う。
【００５３】
以上のように処理することによって、地上用のタンク２１についてもＦＲＰの貼着を行うことができ、タンク２１の腐蝕や孔蝕、油漏れ等を確実に補修することができる。
また、ＦＲＰによってライニング施工を行うタンクを地下タンクや、地上用タンク、縦置き型タンクに施すことによって、より広い範囲のタンクに採用することができる。
【符号の説明】
【００５４】
１・・・埋設タンク
２・・・給油管
３・・・吸引管
４・・・通気管
５、５′・・・コンクリート
６、７・・バルブ
１０・・起点位置
１１、１１−１〜１１−ｎ・・ＦＲＰシート
１１−１′〜１１−ｎ′・・端部
１１−１″〜１１−ｎ″・・位置
１１−１ｃ〜１１−ｎｃ・・中心位置
１２、１２−１〜１２−ｎ・・ＦＲＰシート
２１・・タンク
２２・・検知管
２３・・注給油部
２４・・メンテナンス開口部
２５・・検知センサ
【図１】
2013049452.tif 000003
【図２】
2013049452.tif 000004
【図３】
2013049452.tif 000005
【図４】
2013049452.tif 000006